Podtech/llm-jp-corpus-v4-ja_patent huggingface dataset:
【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
カテーテルであって、
(ａ)  シャフトと；及び
(ｂ)  シャフトの先端に取り付けられたステムであって、複数の微細孔を有する多孔部を具えるステムと；
を具えるカテーテル。
【請求項２】
微細孔の大きさは、約５ミクロン〜２５０ミクロンの範囲である請求項１に記載のカテーテル。
【請求項３】
微細孔の大きさは、約５０ミクロンである請求項１に記載のカテーテル。
【請求項４】
多孔部の微細孔の直径は、ステムの位置で変化している請求項１に記載のカテーテル。
【請求項５】
微細孔の大きさは、約５ミクロン〜１２５ミクロンの範囲である請求項１に記載のカテーテル。
【請求項６】
微細孔は、ステムの多孔部の周囲に等間隔に分配されている請求項１に記載のカテーテル。
【請求項７】
微細孔は、多孔部の周囲に等間隔に放射状に分配され、多孔部の縦軸に沿う傾斜に従っている請求項１に記載のカテーテル。
【請求項８】
微細孔は、多孔部の周囲に等間隔に放射状に分配され、ほぼ同じ長さの複数の部分に分配されており、各部分の微細孔の数は、線形数列に従って変化している請求項１に記載のカテーテル。
【請求項９】
前記複数の部分は、微細孔の数が最も少ない基端部と、基端部の微細孔の２倍である中央部と、基端部の微細孔の数の３倍である先端部とを含んでいる請求項８に記載のカテーテル。
【請求項１０】
微細孔は、横方向に間隔を存する複数のスパイラル構造のパターンに従って、多孔部の周囲に分配されている請求項１に記載のカテーテル。
【請求項１１】
多孔部は、スパイラル構造の２つが、横方向に位置がずれた微細孔の複数列を夫々有しており、スパイラル構造の１つの列は、夫々他方のスパイラル構造の列の列の１つと対をなして正反対に対向している請求項１０に記載のカテーテル。
【請求項１２】
微細孔は、多孔部の周囲に分配されており、
カテーテル内から流れる流体の力について、微細孔から微細に放散し、雲状に流出する流体の力が、ほぼバランスが採れているので、カテーテルの動きを実質的に解消して、位置を極めて安定した状態で維持できる請求項１に記載のカテーテル。
【請求項１３】
ステムの先端に取り付けられたリストリクターをさらに含んでおり、該リストリクターは、その位置でプラグとして作用し、リストリクターからの流れを妨げる請求項１２に記載のカテーテル。
【請求項１４】
ステムの先端に取り付けられたリストリクターをさらに含んでおり、該リストリクターは、その位置でプラグとして作用し、リストリクターからの流れを妨げる請求項１に記載のカテーテル。
【請求項１５】
先端に多孔部に近接したリストリクターをさらに含んでおり、該リストリクターは、開口を有し、該開口は、リストリクター内の流体の圧力が増大すると、ほぼ大きさが減少する請求項１に記載のカテーテル。
【請求項１６】
微細孔は、多孔部の周囲にほぼ等間隔に分配され、基端方向に所定角度傾斜しており、
カテーテル内から流れる流体の力について、リストリクターの開口からの流体の力と、多孔部の微細孔からの流体の力が、ほぼバランスが採れているので、流体が微細に拡散する間、カテーテルの動きをほぼ解消し、位置を極めて安定した状態で維持できる請求項１５に記載のカテーテル。
【請求項１７】
前記所定角度は、カテーテルの大きさ、カテーテルの形状、注入される流体の所望量、及び、微細孔から流出する流体の量と開口から流出する流体の量との比の少なくとも１つによって決定される請求項１６に記載のカテーテル。
【請求項１８】
多孔部の微細孔が傾斜している所定角度は、約０度〜４５度の範囲である請求項１６に記載のカテーテル。
【請求項１９】
多孔部の微細孔が傾斜している所定角度は、約２０度である請求項１８に記載のカテーテル。
【請求項２０】
微細孔が傾斜している所定角度は、ステムの位置で変化している請求項１８に記載のカテーテル。
【請求項２１】
微細孔の大きさは、約５ミクロン〜２５０ミクロンの範囲である請求項１６に記載のカテーテル。
【請求項２２】
微細孔の大きさは、約５０ミクロンである請求項２１に記載のカテーテル。
【請求項２３】
微細孔の大きさは、約５ミクロン〜１００ミクロンである請求項１６に記載のカテーテル。
【請求項２４】
基端に多孔部に近接するリストリクターをさらに含んでおり、該リストリクターは、基端に開口を有する半球状のキャップの形態である請求項１に記載のカテーテル。
【請求項２５】
微細孔は、多孔部の周囲にほぼ等間隔に分配され、基端方向に所定角度傾斜しており、カテーテルから流出する流体の力について、リストリクターの開口からの流体の力と、多孔部の微細孔からの流体の力が、ほぼバランスが採れているので、流体が微細に拡散する間、カテーテルの動きは実質的に解消され、位置を極めて安定した状態で維持できる請求項２４に記載のカテーテル。
【請求項２６】
多孔部の微細孔が傾斜している所望角度は、約０〜４５度の範囲である請求項２５に記載のカテーテル。
【請求項２７】
微細孔の大きさは、約５ミクロン〜１２５ミクロンである請求項２５に記載のカテーテル。
【請求項２８】
微細孔の大きさは、約５０ミクロンである請求項２７に記載のカテーテル。
【請求項２９】
基端に多孔部に近接するリストリクターをさらに含んでおり、該リストリクターは、球状のキャップを含んでおり、該球状のキャップは、内部に形成されたキャビティと、基端に形成された開口と、基端に形成された複数の微細孔を有する請求項１に記載のカテーテル。
【請求項３０】
多孔部の微細孔は、基端方向に所定角度傾斜しており、カテーテル内から流れる流体の力について、リストリクターの開口からの流体の力と、多孔部及び球状のキャップの微細孔からの流体の力が、ほぼバランスが採れているので、流体が微細に拡散する間、カテーテルの動きは実質的に解消され、位置を極めて安定した状態で維持できる請求項２９に記載のカテーテル。
【請求項３１】
多孔部の微細孔が傾斜している所望角度は、約０〜４５度の範囲である請求項３０に記載のカテーテル。
【請求項３２】
多孔部の微細孔が傾斜している所望角度は、ステムの位置で変化している請求項３０に記載のカテーテル。
【請求項３３】
微細孔の大きさは、約５ミクロン〜１２５ミクロンである請求項３０に記載のカテーテル。
【請求項３４】
微細孔の大きさは、約５０ミクロンである請求項３３に記載のカテーテル。
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
配列番号:29、配列番号:30、配列番号:31、配列番号:32、配列番号:33、配列番号:34、配列番号:36、配列番号:44及び配列番号:45から成る群から選択されるアミノ酸配列を有する神経再生ペプチド（NRP）。
【請求項２】
配列番号:27、配列番号:35及び配列番号:48から成る群から選択される配列を有する、NRPをコードするオリゴヌクレオチド。
【請求項３】
オリゴヌクレオチド配列が遺伝暗号の重複性のためによってのみ請求項２のオリゴヌクレオチド配列と異なる、NRPをコードするオリゴヌクレオチド。
【請求項４】
神経再生を促進する医薬の製造における、請求項１記載のNRPの使用。
【請求項５】
神経再生が、神経の生存、神経の増殖、神経の遊走、神経突起伸長及び神経の分化から成る群から選択される、請求項４記載の使用。
【請求項６】
神経再生を促進する医薬の製造における、NRPをコードするオリゴヌクレオチドの使用。
【請求項７】
NRPが請求項２のオリゴヌクレオチドまたは遺伝暗号の重複性のためによってのみ請求項２のオリゴヌクレオチドの配列と異なる配列を有するオリゴヌクレオチドによってコードされる、請求項４記載の使用。
【請求項８】
NRPを発現することができる、請求項２記載のオリゴヌクレオチドを含む発現ベクター。
【請求項９】
“ｔ”が“ｕ”により置換されている、請求項２記載のオリゴヌクレオチド配列。
【請求項１０】
配列番号:27、配列番号:35及び配列番号:48から成る群から選択される配列を有するオリゴヌクレオチドと相補的なオリゴヌクレオチド。
【請求項１１】
配列番号:28、配列番号:29、配列番号:30、配列番号:31、配列番号:32、配列番号:33、配列番号:34、配列番号:36、配列番号:43、配列番号:44、配列番号:45、配列番号:46、配列番号:47及び配列番号:49から成る群から選択されるアミノ酸配列と配列全体にわたって少なくとも80%のアミノ酸配列同一性を有するアミノ酸配列を含むポリペプチド。
【請求項１２】
神経の再生が、神経変性、細胞死のリスクを有する、またはパーキンソン病、アルツハイマー病、低酸素症、虚血、卒中、冠状動脈バイパス手術、外傷、外傷性脳損傷、ハンチントン病、脊椎損傷、感染、視神経脊髄炎または外科手術、化学療法及び放射線療法からなる群から選択される医療処置の１以上によって変性された細胞を治療するためである、請求項４記載の使用。
【請求項１３】
アミノ酸配列が、少なくとも1つの保存的アミノ酸置換のために、配列番号:28、配列番号:29、配列番号:30、配列番号:31、配列番号:32、配列番号:33、配列番号:34、配列番号:36、配列番号:43、配列番号:44、配列番号:45、配列番号:46、配列番号:47又は配列番号:49のアミノ酸配列と異なる、請求項１記載のNRP。
【請求項１４】
幹細胞のニューロン表現型への分化、神経芽細胞増殖、幹細胞遊走または幹細胞軸索伸長の促進のための請求項４記載の使用。
【請求項１５】
NRPが、配列番号:2、配列番号:5、配列番号:7、配列番号:9、配列番号:11、配列番号:13、配列番号:17、配列番号:18、配列番号:20、配列番号:21、配列番号:22、配列番号:23、配列番号:24、配列番号:25、配列番号:26、配列番号:28、配列番号:20、配列番号:30、配列番号:31、配列番号:32、配列番号:33、配列番号:34、配列番号:35、配列番号:43、配列番号:44、配列番号:45、配列番号:46、配列番号:47及び配列番号:49から成る群から選択される配列を有する、請求項１４記載の使用。
【請求項１６】
NRPが、配列番号:28、配列番号:20、配列番号:30、配列番号:31、配列番号:32、配列番号:33、配列番号:34、配列番号:35、配列番号:43、配列番号:44、配列番号:45、配列番号:45、配列番号:46及び配列番号:49から成る群から選択される配列を有する、請求項４記載の使用。
【請求項１７】
神経芽細胞集団を医薬的に有効な量のNRPと組み合わせて移植し、前記神経芽細胞が増殖し、分化し及び/又は神経突起を形成させることによる哺乳動物の神経系の一部分の集団を再成するための、請求項４記載の使用。
【請求項１８】
医療処置が冠状動脈バイパス手術である、請求項１２記載の使用。
【請求項１９】
症状が、感染、脳血管障害、頭蓋脳外傷、脱髄疾患、痴呆、代謝異常、栄養失調、アルコール中毒、末梢神経障害、薬剤誘導神経傷害及び化学物質誘導神経傷害に付随する症状から成る群から選択される、請求項４記載の使用。
【請求項２０】
配列番号:28、配列番号:20、配列番号:30、配列番号:31、配列番号:32、配列番号:33、配列番号:34、配列番号:35、配列番号:43、配列番号:44、配列番号:45、配列番号:45、配列番号:46及び配列番号:49から成る群から選択される少なくとも1つの神経再生ペプチド、及び医薬的に許容できる媒体を含む医薬組成物。
【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
タバコロッドの周りに形成された包装紙を有するタバコロッドであって、包装紙が、包装紙の一方の表面の少なくとも一部上にパターン化された堆積物を含むタバコロッドを含む喫煙製品であって、
パターン化された堆積物が、喫煙製品の主流煙及び／又は副流煙における構成ガス成分の転化を触媒し、酸化し及び／又は還元することが可能な触媒粒子を含む喫煙製品。
【請求項２】
触媒が、酸化鉄を含む請求項１に記載の喫煙製品。
【請求項３】
触媒が、第２化合物の粒子上に担持された第１酸化物の粒子を含む請求項１に記載の喫煙製品。
【請求項４】
堆積物が、英数字配列、絵文字又は幾何学的図形を含む複数の別個の特徴を有するパターンを含む請求項１に記載の喫煙製品。
【請求項５】
パターンが、低濃度特徴を有する第１部分及び高濃度特徴を有する第２部分の間に触媒の濃度勾配を含む請求項１に記載の喫煙製品。
【請求項６】
喫煙製品の製造方法であって、
（ｉ）包装紙の表面の少なくとも一部上に触媒粒子を堆積させて、包装紙上に粒子のパターン化された堆積物を形成すること；
（ｉｉ）タバコを含むカットフィラーをシガレット製造機へ提供すること；及び
（ｉｉｉ）パターン化された堆積物を含む包装紙をカットフィラーの周囲に置いて、喫煙製品のタバコロッド部分を形成すること
を含む方法。
【請求項７】
喫煙製品用包装紙であって、
ウェブ；及び
包装紙の一方の表面の少なくとも一部上のパターン化された堆積物
を含み、パターン化された堆積物が、触媒粒子を含む包装紙。
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
体腔に接近するための関節動作可能な接近システムであって、
シャフトを有し、このシャフトは、近位端部、遠位端部及び前記シャフトを貫通した中央ルーメンを有し、遠位端部は、前記体腔に至るまで挿通可能であり、前記中央ルーメンは、インターベンション器具を挿通させるよう寸法決めされ、前記シャフトの一部は、一連の関節動作部材から成り、
前記関節動作部材のうちの少なくとも１つを貫通して前記シャフトの前記一部を関節動作位置に動かす少なくとも１本のプルワイヤを有することを特徴とする関節動作可能な接近システム。
【請求項２】
前記インターベンション器具を前記体腔に差し向けるよう前記関節動作部材を前記関節動作位置に保持する係止手段を更に有することを特徴とする請求項１記載の関節動作可能な接近システム。
【請求項３】
前記関節動作部材は、前記関節動作位置が一次カーブを含むことができるよう構成されており、好ましくは、前記一次カーブの曲率半径は、約０．１２５インチ（３．１７５ｍｍ）〜１．０００インチ（２５．４ｍｍ）であることを特徴とする請求項１または２記載の関節動作可能な接近システム。
【請求項４】
前記関節動作部材は、前記関節動作位置が二次カーブを更に含むことができるよう構成されており、好ましくは、前記二次カーブの曲率半径は、約０．５０インチ（１．２７ｍｍ）〜０．７５０インチ（１９．０７ｍｍ）であることを特徴とする請求項３記載の関節動作可能な接近システム。
【請求項５】
前記一次カーブと前記二次カーブは、互いに異なる平面内に位置しており、好ましくは、前記一次カーブと前記二次カーブは、実質的に互いに直交した平面内に位置していることを特徴とする請求項４記載の関節動作可能な接近システム。
【請求項６】
前記遠位端部は、遠位先端部で終端し、前記少なくとも１本のプルワイヤは、前記遠位先端部が角度シータ動くことができるように前記遠位先端部にしっかりと取り付けられていることを特徴とする請求項５記載の関節動作可能な接近システム。
【請求項７】
前記二次カーブと前記角度シータは、互いに異なる平面内に位置しており、好ましくは、前記二次カーブと前記角度シータは、互いに直交した平面内に位置していることを特徴とする請求項６記載の関節動作可能な接近システム。
【請求項８】
前記遠位端部は、血管を通って前記体腔に至ることができるよう構成されており、前記体腔は、心臓の腔を含み、前記関節動作位置は、前記中央ルーメンを弁の方へ差し向けることを特徴とする請求項１乃至７のいずれか１項記載の関節動作可能な接近システム。
【請求項９】
前記中央ルーメン内に取り外し可能に位置決めでき、前記シャフトの前記一部を第１の形状で位置決めするよう構成された栓子を更に有することを特徴とする請求項１乃至８のいずれか１項記載の関節動作可能な接近システム。
【請求項１０】
前記栓子は、前記第１の形状が全体的に真っ直ぐであるよう全体として真っ直ぐであり、前記栓子は、前記第１の形状が少なくとも１つのカーブを有するよう関節動作可能であることを特徴とする請求項９記載の関節動作可能な接近システム。
【請求項１１】
前記栓子は、前記栓子が前記中央ルーメン内に位置決めされると、前記シャフトが患者の脈管系を通って位置決め可能であるよう可撓性であることを特徴とする請求項９または１０記載の関節動作可能な接近システム。
【請求項１２】
前記少なくとも１本のプルワイヤは、４本のプルワイヤから成ることを特徴とする請求項１乃至１１のいずれか１項記載の関節動作可能な接近システム。
【請求項１３】
前記関節動作部材は、相互に嵌合するドーム付きリングから成ることを特徴とする請求項１ないし１２のいずれか１項記載の関節動作可能な接近システム。
【請求項１４】
体腔に接近するためのキットであって、
請求項１乃至１３のいずれか１項記載の関節動作可能な接近システムと、
前記関節動作可能な接近システムを用いるための使用説明書とを有し、前記使用説明書は、
前記シースを前記体腔まで前進させる段階と、
張力を前記少なくとも１本のプルワイヤに与えて前記シャフトの前記一部を前記関節動作位置に動かす段階と、
前記関節動作部材を前記関節動作位置に維持する段階と、
インターベンション器具を前記中央ルーメン中へ通し、前記関節動作位置が、前記インターベンション器具を前記体腔内へ差し向けるようにする段階とを含む方法段階を記載していることを特徴とするキット。
【請求項１５】
インターベンション器具を更に有することを特徴とする請求項１４記載のキット。
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
エアロゾル化薬剤調合物を、人工呼吸器循環路内に導入するためのエアロゾル導入器であって、
該人工呼吸器循環路は、気管内チューブと、該人工呼吸器から延びる吸気ラインと、該人工呼吸器から延びる呼気ラインとを含み；
該エアロゾル導入器は、
該吸気ライン及び該呼気ラインに接続可能な第一端；
該気管内チューブに接続可能な第二端；
該第一端から該第二端へ延びる第一の流路；
該第一端から該第二端へ延びる第二の流路；
エアロゾル化薬剤調合物を受け入れるのに適している、該第一の流路内のインレット；及び
該呼気ラインへのエアロゾル化薬剤調合物の損失を減らす一つ又は二つ以上のバルブを含むバルブ機構：を含んで成る。
【請求項２】
該バルブ機構が、該第一の流路内に配置されている逆止弁を含む、請求項１に記載のエアロゾル導入器。
【請求項３】
該バルブ機構が、該第二の流路内に配置されている逆止弁を含む、請求項１に記載のエアロゾル導入器。
【請求項４】
該バルブ機構が、該第一の流路内に配置されている逆止弁と、該第二の流路内に配置されている逆止弁とを含む、請求項１に記載のエアロゾル導入器。
【請求項５】
該インレットがネブライザに接続されている、請求項１に記載のエアロゾル導入器。
【請求項６】
該ネブライザがジェットネブライザである、請求項５に記載のエアロゾル導入器。
【請求項７】
該ネブライザが振動するメッシュを含む、請求項５に記載のエアロゾル導入器。
【請求項８】
該第一端が、該吸気ラインと該呼気ラインとに取付けられているＹ字形ピースに接続可能である、請求項１に記載のエアロゾル導入器。
【請求項９】
該第一端が、該吸気ラインへの接続用の第一のコネクタと、該呼気ラインへの接続用の第二のコネクタとを含む、請求項１に記載のエアロゾル導入器。
【請求項１０】
該第二端が軟質チューブを含む、請求項１に記載のエアロゾル導入器。
【請求項１１】
エアロゾル化薬剤調合物を患者に送達させるためのエアロゾル導入器であって；
第一端；
ユーザの口又は鼻にエアロゾルを送達させる開口部を含む第二端；
該第一端から該第二端へ延びる第一の流路；
該第一端から該第二端へ延びる第二の流路；
エアロゾル化薬剤調合物を受け入れるのに適している、該第一の流路内のインレット；及び
該第一又は第二の流路内のバルブ：を含むエアロゾル導入器。
【請求項１２】
該バルブが、該第一の流路内に配置されている逆止弁を含む、請求項１１に記載のエアロゾル導入器。
【請求項１３】
該バルブが、該第二の流路内に配置されている逆止弁を含む、請求項１１に記載のエアロゾル導入器。
【請求項１４】
該バルブが、該第一の流路内に配置されている逆止弁を含み、そして該第二の流路内に配置されている逆止弁をさらに含む、請求項１１に記載のエアロゾル導入器。
【請求項１５】
該インレットがネブライザに接続されている、請求項１１に記載のエアロゾル導入器。
【請求項１６】
該ネブライザがジェットネブライザである、請求項１５に記載のエアロゾル導入器。
【請求項１７】
該ネブライザが振動するメッシュを含む、請求項１５に記載のエアロゾル導入器。
【請求項１８】
エアロゾル化薬剤調合物の人工呼吸器循環路内への導入方法であって、
第一端、第二端、該第一端から該第二端へ延びる第一の流路、該第一端から該第二端へ延びる第二の流路、該第一の流路内のインレット、並びに該第一及び／又は第二の流路内のバルブを含むエアロゾル導入器を準備する段階；
該第一端を人工呼吸器から延びる吸気ライン及び呼気ラインに接続する段階；
該第二端を気管内チューブに接続する段階；そして
該インレットを介して、該第一の流路内にエアロゾル化該薬剤調合物を受け入れる段階：を含む導入方法。
【請求項１９】
該バルブが、該第一の流路内に配置されている逆止弁を含む、請求項１８に記載の方法。
【請求項２０】
該バルブが、該第二の流路内に配置されている逆止弁を含む、請求項１８に記載の方法。
【請求項２１】
該バルブが、該第一の流路内に配置されている逆止弁であり、そして該第二の流路内に配置されている逆止弁をさらに含む、請求項１８に記載の方法。
【請求項２２】
該エアロゾル化薬剤調合物をネブライザから受け入れる、請求項１８に記載の方法。
【請求項２３】
該エアロゾル化薬剤調合物をジェットネブライザから受け入れる、請求項１８に記載の方法。
【請求項２４】
該エアロゾル化薬剤調合物をメッシュ振動式ネブライザから受け入れる、請求項１８に記載の方法。
【請求項２５】
該エアロゾル化薬剤調合物が抗生物質を含む、請求項１８に記載の方法。
【請求項２６】
該エアロゾル化薬剤調合物がバンコマイシンを含む、請求項１８に記載の方法。
【請求項２７】
該エアロゾル化薬剤調合物がゲンタマイシンを含む、請求項１８に記載の方法。
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
脈管挿入アセンブリにおいて、
挿入シース、
該挿入シースの内径に嵌合する寸法を有するダイレータ、
該脈管挿入アセンブリの遠位端部に配設された第一入口ポート、
該脈管挿入アセンブリの近位端部に配設され、該第一入口ポートと流体連通する第一表示器、
該脈管挿入アセンブリの遠位端部に配設された第二入口ポート、及び
該脈管挿入アセンブリの近位端部に配設され、該第二入口ポートと流体連通する第二表示器を備えることを特徴とするアセンブリ。
【請求項２】
前記第一入口ポート及び第二入口ポートは前記アセンブリの挿入角度に適応するように相互にオフセットする、請求項１に記載のアセンブリ。
【請求項３】
該脈管挿入アセンブリの遠位端部に配設された第三入口ポート、及び
該脈管挿入アセンブリの近位端部に配設され、該第三入口ポートと流体連通する第三表示器を更に備える、請求項１に記載のアセンブリ。
【請求項４】
前記第一入口ポート及び第一表示器は、前記挿入シースの血管への適正挿入の表示を行い、前記第二入口ポート及び第二表示器は、前記挿入シースの血管への過挿入の表示を行う、請求項１に記載のアセンブリ。
【請求項５】
前記第三入口ポート及び第三表示器は、前記挿入シースの血管への初期挿入の表示を行い、
前記第一入口ポート及び第一表示器は、前記挿入シースの血管への適正挿入の表示を行い、
前記第二入口ポート及び前記第二表示器は、前記挿入シースの血管への過挿入の表示を行う、請求項３に記載のアセンブリ。
【請求項６】
前記第一表示器又は第二表示器の少なくとも一方は滴孔である、請求項１に記載のアセンブリ。
【請求項７】
前記第一入口ポートと第一表示器間を流体連通させる第一ルーメンを更に備え、該第一ルーメンは前記ダイレータ内を通る、請求項１に記載のアセンブリ。
【請求項８】
前記第二入口ポートと第二表示器間を流体連通させる第二ルーメンを更に備え、該第二ルーメンは前記ダイレータ内を通る、請求項７に記載のアセンブリ。
【請求項９】
前記第二入口ポートと第二表示器間を流体連通させる第二ルーメンを更に備え、該第二ルーメンは前記挿入シース内を通る、請求項７に記載のアセンブリ。
【請求項１０】
前記第一入口ポートは、前記ダイレータの遠位端部にある、請求項１に記載のアセンブリ。
【請求項１１】
前記第二入口ポートは、前記挿入シースの遠位端部にある、請求項１に記載のアセンブリ。
【請求項１２】
前記第一入口ポート及び第二入口ポートは、前記脈管挿入アセンブリの縦方向に相互に離間している、請求項１に記載のアセンブリ。
【請求項１３】
第一流体経路及び第二流体経路を備え、該第一流体経路が前記第一入口ポートと前記第一表示器間を流体連通させるルーメンを更に備え、
該第二流体経路は、前記第二入口ポートと前記第二表示器間を流体連通させる、請求項１に記載のアセンブリ。
【請求項１４】
前記第一表示器又は第二表示器の少なくとも一方は圧力計である、請求項１に記載のアセンブリ。
【請求項１５】
差圧計を更に備え、
前記第一入口ポートは該差圧計の第一入力ポートと流体連通し、前記第二入口ポートは該差圧計の第二入力ポートと流体連通し、前記脈管挿入アセンブリが血管を穿通したときに該差圧計が表示をする、請求項１に記載のアセンブリ。
【請求項１６】
前記差圧計はボールフロート計である、請求項１５に記載のアセンブリ。
【請求項１７】
脈管挿入アセンブリにおいて、該脈管挿入アセンブリは、
遠位端部及び近位端部を有する挿入シース、
遠位端部及び近位端部を有し、該挿入シースに嵌合する寸法であるダイレータ、
該脈管挿入アセンブリの遠位端部に配置される第一入口ポート、
該脈管挿入アセンブリの遠位端部に配置され、該第一入口ポートとは、該脈管挿入アセンブリの縦方向に相互に離間している第二入口ポート、
該脈管挿入アセンブリの近位端部に配置され、該第一入口ポートと流体連通する第一近位孔、及び
該脈管挿入アセンブリの近位端部に配置され、該第二入口ポートと流体連通する第二近位孔を備え、該脈管挿入アセンブリは、該第一入口ポートが血管に入ると該第一近位孔から流体が流出し、該第二入口ポートが血管を入ると該第二近位孔から流体が流出する構成であることを特徴とするアセンブリ。
【請求項１８】
前記第一入口ポート又は第二入口ポートの少なくとも一方は、前記ダイレータの遠位端部に配設されている、請求項１７に記載のアセンブリ。
【請求項１９】
前記第一入口ポート又は第二入口ポートの少なくとも一方は、前記挿入シースの遠位端部に配設される、請求項１７に記載のアセンブリ。
【請求項２０】
前記第一入口ポートは前記ダイレータの遠位端部に配設され、前記第二入口ポートは前記挿入シースの遠位端部に配設されている、請求項１７に記載のアセンブリ。
【請求項２１】
前記第一入口ポート及び第二入口ポートは、前記挿入シースに配設される、請求項１７に記載のアセンブリ。
【請求項２２】
前記第一入口ポート及び第一近位孔の組合せ又は前記第二入口ポート及び第二近位孔の組合せの少なくとも一方の組合せでは、前記ダイレータ内を通るルーメンにより流体連通している、請求項１７に記載のアセンブリ。
【請求項２３】
前記第一入口ポートと前記第二入口ポートとは互い違いに配置されている、請求項１７に記載のアセンブリ。
【請求項２４】
表示器、第一アクセスポート及び第二アクセスポートを有する穿通計器を更に備え、
該第一アクセスポートは前記第一近位孔と流体連通し、該第二アクセスポートは前記第二近位孔と流体連通し、前記脈管挿入アセンブリが血管を穿通したときに該表示器は表示を行う、請求項１７に記載のアセンブリ。
【請求項２５】
前記第一入口ポート及び第一近位孔の組合せ又は前記第二入口ポート及び第二近位孔の組合せの少なくとも一方の組合せでは、前記挿入シース内を通るルーメンにより流体連通している、請求項１７に記載のアセンブリ。
【請求項２６】
前記第一入口ポート及び第一近位孔は、前記ダイレータ内を通るルーメンにより流体連通しており、前記第二入口ポート及び第二近位孔は、前記挿入シース内を通るルーメンにより流体連通している、請求項１７に記載のアセンブリ。
【請求項２７】
前記第一入口ポート及び第一近位孔は、前記挿入シース内を通るルーメンにより流体連通しており、前記第二入口ポート及び第二近位孔は、該挿入シース内を通るルーメンにより流体連通している、請求項１７に記載のアセンブリ。
【請求項２８】
前記脈管挿入アセンブリの遠位端部に配置されている第三入口ポート及び第三近位孔を更に備え、
該第三近位孔は該第三入口ポートと流体連通している、請求項１７に記載のアセンブリ。
【手続補正書】
【提出日】平成19年10月31日(2007.10.31)
【手続補正１】
【補正対象書類名】特許請求の範囲
【補正対象項目名】請求項１５
【補正方法】変更
【補正の内容】
【請求項１５】
請求項１ないし１３のうちいずれか一項記載のシステムにおいて使用されるべき命令のセットを有することを特徴とするコンピュータプログラム。
【手続補正書】
【提出日】平成19年11月1日(2007.11.1)
【手続補正１】
【補正対象書類名】特許請求の範囲
【補正対象項目名】請求項９
【補正方法】変更
【補正の内容】
【請求項９】
特に磁気共鳴装置、ＣＴ装置、Ｘ線装置又は超音波装置のような医療画像データを取得及び処理する装置は、医療画像データを取得する手段、及び請求項８に記載の視覚化する装置を含む前記画像データを処理する手段を有する装置。
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
被験体から採取した生物試料におけるmitofusin 2遺伝子の変異の有無を検出すること；および
該被験体の、mitofusin 2遺伝子の変異の存在によるシャルコー・マリー・ツース病２A型のリスクが、増大または減少していることを決定すること
を含む、シャルコー・マリー・ツース病２A型のリスクに関して被験体をスクリーニングする方法。
【請求項２】
前記生物試料が染色体核酸を含む、請求項１記載の方法。
【請求項３】
染色体核酸が染色体１またはその断片である、請求項２記載の方法。
【請求項４】
変異が、mitofusin 2遺伝子の核酸配列またはmitofusin遺伝子の相同領域中の2219、839、751、493、281、227および205からなる群より選択される位置で起こる、請求項１記載の方法。
【請求項５】
変異が、mitofusin 2遺伝子のアミノ酸配列またはmitofusin遺伝子の相同領域中の740、280、251、165、94、76および69からなる群より選択される位置で起こる、請求項１記載の方法。
【請求項６】
前記変異が、G2219C、G839A、C751G、C493G、G281A、T227CおよびG205Tからなる群より選択される核酸配列の変化をもたらす、請求項４記載の方法。
【請求項７】
前記変異が、Trp740Ser、Arg280His、Pro251Ala、His165Asp、Arg94Gln、Leu76ProおよびVal69Pheからなる群より選択されるアミノ酸配列の変化をもたらす、請求項５記載の方法。
【請求項８】
前記検出工程が、前記被験体が前記変異についてホモかどうかを検出することをさらに含む、請求項１記載の方法。
【請求項９】
前記検出工程が、前記被験体が前記変異についてヘテロかどうかを検出することをさらに含む、請求項１記載の方法。
【請求項１０】
患者核酸中のmitofusin 2遺伝子配列を増幅して増幅産物を生成すること；および
該増幅産物を用いて、シャルコー・マリー・ツース病２A型遺伝的多型の有無を同定すること
を含む、患者核酸の試料において、シャルコー・マリー・ツース病２A型に関連する遺伝的多型の有無を検出する方法。
【請求項１１】
シャルコー・マリー・ツース病２A型多型が増幅産物の配列決定によって同定される、請求項１０記載の方法。
【請求項１２】
増幅産物を制限酵素で消化することおよびシャルコー・マリー・ツース病２A型多型を制限酵素断片の配列決定によって同定することをさらに含む、請求項１１記載の方法。
【請求項１３】
多型が、mitofusin 2遺伝子の核酸配列またはmitofusin遺伝子の相同領域中の2219、839、751、493、281、227および205からなる群より選択される位置で起こる、請求項１０記載の方法。
【請求項１４】
前記核酸がmitofusin 2遺伝子のアミノ酸配列をコードし、ここで多型が、mitofusin2遺伝子のアミノ酸配列またはmitofusin遺伝子の相同領域中の740、280、251、165、94、76および69からなる群より選択される位置で起こる、請求項１０記載の方法。
【請求項１５】
前記多型が、G2219C、G839A、C751G、C493G、G281A、T227CおよびG205Tからなる群より選択される核酸配列の変化をもたらす、請求項１３記載の方法。
【請求項１６】
前記多型が、Trp740Ser、Arg280His、Pro251Ala、His165Asp、Arg94Gln、Leu76ProおよびVal69Pheからなる群より選択されるアミノ酸配列の変化をもたらす、請求項１４記載の方法。
【請求項１７】
被験体由来の生物試料を提供することであって、ここで前記試料がmitofusin2遺伝子を含むこと；
mitofusin 2遺伝子の1つ以上の変異を検出すること；および
被験体が、mitofusin 2遺伝子の少なくとも1つのゲノムコピーに少なくとも1つの検出される変異を有することを決定することであって、ここでmitofusin2遺伝子の少なくとも1つの検出される変異の存在が被験体においてシャルコー・マリー・ツース病、またはシャルコー・マリー・ツース病を発症する遺伝的素因についての検出となること
を含む、被験体においてシャルコー・マリー・ツース病、またはシャルコー・マリー・ツース病を発症する遺伝的素因を検出する方法。
【請求項１８】
変異が、mitofusin 2遺伝子の核酸配列またはmitofusin遺伝子の相同領域中の2219、839、751、493、281、227および205からなる群より選択される位置で起こる、請求項１７記載の方法。
【請求項１９】
変異が、mitofusin 2遺伝子のアミノ酸配列またはmitofusin遺伝子の相同領域中の740、280、251、165、94、76および69からなる群より選択される位置で起こる、請求項１７記載の方法。
【請求項２０】
前記変異が、G2219C、G839A、C751G、C493G、G281A、T227CおよびG205Tからなる群より選択される核酸配列の変化をもたらす、請求項１８記載の方法。
【請求項２１】
前記変異が、Trp740Ser、Arg280His、Pro251Ala、His165Asp、Arg94Gln、Leu76ProおよびVal69Pheからなる群より選択されるアミノ酸配列の変化をもたらす、請求項１９記載の方法。
【請求項２２】
前記決定工程が、前記被験体が前記変異についてヘテロかどうかを検出することをさらに含む、請求項１７記載の方法。
【請求項２３】
前記決定工程が、前記被験体が前記変異についてホモかどうかを検出することをさらに含む、請求項１７記載の方法。
【請求項２４】
変異が、下記の表に示される変異である、請求項１記載の方法。
【表１】
2007511221.tif 000001
【請求項２５】
シャルコー・マリー・ツース病２A型遺伝的多型が、前記の表に示される変異である、請求項１０記載の方法。
【請求項２６】
変異が、前記の表に示される変異である、請求項１７記載の方法。
【請求項２７】
mitofusin 2遺伝子の変異が、ミスセンス変異またはナンセンス変異である、請求項１記載の方法。
【請求項２８】
シャルコー・マリー・ツース病２A型遺伝的多型が、mitofusin 2遺伝子のミスセンス変異またはナンセンス変異である、請求項１０記載の方法。
【請求項２９】
mitofusin 2遺伝子の変異が、ミスセンス変異またはナンセンス変異である、請求項１７記載の方法。
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
配合物の重量％に基づき１〜８０重量％の量のスクロースアセテートイソブチレート；及び配合物の重量％に基づき３０〜９９重量％の量で存在する、水又は油に可溶な基剤を含んでなり、固体であり、且つＡＳＴＭ法Ｄ１８９５−９６に従って２０秒未満で注入可能な配合物。
【請求項２】
スクロースアセテートイソブチレートが３０〜７０重量％の量で存在する請求項１に記載の配合物。
【請求項３】
スクロースアセテートイソブチレートが４０〜６０重量％の量で存在する請求項１に記載の配合物。
【請求項４】
スクロースアセテートイソブチレートが４０〜５５重量％の量で存在する請求項１に記載の配合物。
【請求項５】
前記基剤が４０〜６０重量％の量で存在する請求項１に記載の配合物。
【請求項６】
配合物が１０秒未満で注入可能な請求項１に記載の配合物。
【請求項７】
配合物が５秒未満で注入可能な請求項１に記載の配合物。
【請求項８】
前記基剤がスクロース、疎水変性食品用スターチ、アカシアガム、マルトデキストリン類、シクロデキストリン類、微晶質セルロース、カルボキシメチルセルロース、ガッティガム、変性ガッティガム、キサンタンガム、トラガカントガム、グアーガム、カンデリラワックス、炭化水素ワックス又はカルナバワックスからなる群から選ばれる請求項１に記載の配合物。
【請求項９】
加工助剤を更に含む請求項１に記載のスクロースアセテートイソブチレート配合物。
【請求項１０】
乳化剤を更に含む請求項１に記載のスクロースアセテートイソブチレート配合物。
【請求項１１】
前記乳化剤がアカシアガム及び変性食品用スターチである請求項１０に記載のスクロースアセテートイソブチレート配合物。
【請求項１２】
中鎖トリグリセリドを更に含む請求項１に記載のスクロースアセテートイソブチレート配合物。
【請求項１３】
前記基剤がアカシアガム又は変性食品用スターチである請求項１に記載の配合物。
【請求項１４】
前記基剤が疎水変性食品用スターチ、アカシアガム及びスクロースからなる群から選ばれる請求項８に記載の配合物。
【請求項１５】
請求項１に記載のスクロースアセテートイソブチレート配合物１重量％〜３０重量％、乳化剤１〜４０重量％及び水２５〜９８重量％を含む飲料エマルジョン。
【請求項１６】
０．１〜２５重量％の白濁剤を更に含む請求項１５に記載の飲料エマルジョン。
【請求項１７】
前記白濁剤がトリグリセリド脂肪である請求項１６に記載の飲料エマルジョン。
【請求項１８】
前記白濁剤がグリセリルトリ−カプリレート／カプレートである請求項１７に記載の飲料エマルジョン。
【請求項１９】
請求項１０に記載の配合物を１〜７５重量％含む飲料コンセントレート。
【請求項２０】
請求項１０に記載の配合物を０．００５〜０．４重量％含む飲料シロップ。
【請求項２１】
請求項１０に記載の配合物を０．０００８〜０．４重量％含む炭酸飲料。
【請求項２２】
請求項１０に記載の配合物を０．０００８〜０．４重量％含む非炭酸飲料。
【請求項２３】
請求項１に記載のスクロースアセテートイソブチレート配合物を１〜５０重量％含む乾燥飲料プレミックス。
【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
組織特異的な様式で、血管内皮の管腔表面へ、血管内皮の管腔表面内へ、および／または血管内皮の管腔表面を横切って送達される医薬を製造するための輸送剤成分および結像剤成分を含有する結像剤の使用であって、ここで該輸送剤成分が、管腔表面との接触の際に、血管内皮の管腔表面の成分に、または血管内皮の管腔表面のマイクロドメインの成分に結合および局在化し、かつここで該輸送剤が結合および局在化する成分が組織特異的である、使用。
【請求項２】
癌の有無について個体を評価するための医薬を製造するための輸送剤成分および結像剤成分を含有する結像剤の使用であって、ここで該輸送剤成分が血管内皮の管腔表面の成分に、または血管内皮の管腔表面のマイクロドメインの成分に結合および局在化し、かつここで該輸送剤が結合および局在化する成分が癌に特異的である、使用。
【請求項３】
個体の物理的結像を行うための医薬の製造のための輸送剤成分および結像剤成分を含有する結像剤の使用であって、ここで該輸送剤成分が、管腔表面との接触の際に、血管内皮の管腔表面の成分に、または血管内皮の管腔表面のマイクロドメインの成分に結合および局在化し、かつここで該輸送剤が結合および局在化する成分が組織特異的である、使用。
【請求項４】
該輸送剤成分が血管内皮の管腔表面のマイクロドメインの成分に結合および局在化し、該血管内皮の管腔表面のマイクロドメインが、カベオラ；Ｇドメイン；およびＧドメイン関連カベオラからなる群より選択される、請求項１〜３いずれか記載の使用。
【請求項５】
該輸送剤成分が血管内皮の管腔表面のマイクロドメインの成分に結合および局在化し、該血管内皮の管腔表面のマイクロドメインがカベオラである、請求項１または２記載の使用。
【請求項６】
該組織が悪性である、請求項１記載の使用。
【請求項７】
該輸送剤成分が、抗体、ペプチド、ウイルス、受容体、リガンドおよび核酸からなる群より選択される、請求項１または２記載の使用。
【請求項８】
該輸送剤成分が抗体である、請求項７記載の使用。
【請求項９】
該結像剤成分が、放射性剤；造影剤；磁性剤；常磁性剤；免疫リポソーム（immunoliposome）；および検出剤を誘導する遺伝子ベクターまたはウイルスからなる群より選択される、請求項１または２記載の使用。
【請求項１０】
該輸送剤成分が、腫瘍の血管内皮の管腔表面の成分に、または腫瘍の血管内皮の管腔表面のマイクロドメインに結合および局在化する、請求項１記載の使用。
【請求項１１】
該結像剤が治療剤をさらに含む、請求項２記載の使用。
【請求項１２】
輸送剤成分および結像剤成分を含有し、ここで該輸送剤成分が、管腔表面との接触の際に、血管内皮の管腔表面の成分に、または血管内皮の管腔表面のマイクロドメインの成分に結合および局在化し、かつここで該輸送剤が結合および局在化する成分が組織特異的である、結像剤。
【請求項１３】
該輸送剤成分が血管内皮の管腔表面のマイクロドメインの成分に結合および局在化し、該血管内皮の管腔表面のマイクロドメインが、カベオラ；Ｇドメイン；およびＧドメイン関連カベオラからなる群より選択される、請求項１２記載の結像剤。
【手続補正書】
【提出日】平成19年10月5日(2007.10.5)
【手続補正１】
【補正対象書類名】明細書
【補正対象項目名】００２７
【補正方法】変更
【補正の内容】
【００２７】
旋回自在なブロック（３５）、連接爪（３６、３７）及び連接棒（４０、４１）を具備する、本装置の動作メカニズムは、切削加工によってシャフト（３２、３３）に形成した円形溝と協働するようにブロック（３１）に設けられた押さえ球体により、一時的に２本のシャフト（３２、３３）に接続する。固定テーブル（４２）には、連接爪（３６、３７）を開閉させる押さえばね式アクチュエータ（４３）を設けてある。
【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
増殖性障害を患う被験者を治療するための治療剤であって、治療上効果的な量のp46 Shcおよび／またはp52 Shcの発現を阻害する薬剤を含む治療剤。
【請求項２】
増殖性障害を患う被験者を治療するための治療剤であって、治療上効果的な量のp46 Shcおよび／またはp52 Shcの活性を阻害する薬剤を含む治療剤。
【請求項３】
増殖性障害を患う被験者を治療するための治療剤であって、治療上効果的な量のリン酸化p66 Shcのレベルを増加させる薬剤を含む治療剤。
【請求項４】
細胞におけるp46 Shcおよび／またはp52 Shcの発現を阻害する薬剤。
【請求項５】
細胞におけるp46 Shcおよび／またはp52 Shcの活性を阻害する薬剤。
【請求項６】
細胞におけるリン酸化p66 Shcのレベルを増加させる薬剤。
【請求項７】
請求項1または4に記載の薬剤であって、前記薬剤はsiRNA、リボザイム、またはDNAzymeからなる群から選択される薬剤。
【請求項８】
請求項3または6に記載の薬剤であって、前記薬剤は、被験者におけるリン酸化p66 ShcのSer36残基の脱リン酸化を特異的に阻害する薬剤。
【請求項９】
請求項3または6に記載の薬剤であって、前記薬剤はp66 Shcコード化発現ベクターである薬剤。
【請求項１０】
請求項1、2、または3に記載の薬剤であって、前記被験者がヒトである薬剤。
【請求項１１】
請求項1、2、または3に記載の薬剤であって、前記増殖性疾患は、前立腺癌、卵巣癌、または乳癌である薬剤。
【請求項１２】
請求項4、5、または6に記載の薬剤であって、前記細胞は前立腺癌細胞、卵巣癌細胞、または乳癌細胞である薬剤。
【請求項１３】
薬剤がp46 Shcまたはp52 Shcのリン酸化を阻害するかどうかを決定するための方法であって：
(a)p46 Shcまたはp52 Shcを、前記薬剤の非存在下でそのリン酸化を許容するだろう条件下で前記薬剤と接触させることと；
(b)前記p46 Shcまたはp52 Shcがリン酸化される程度を決定することと；および
(c)工程(b)で測定したリン酸化の程度と前記薬剤の非存在下で測定したリン酸化の程度とを比較することとを備え、
前記薬剤の非存在下でのリン酸化の程度がより大きいことが、前記薬剤がp46またはp52 Shcのリン酸化を阻害することを示す方法。
【請求項１４】
薬剤がp66 Shcの脱リン酸化を阻害するかどうかを決定するための方法であって：
(a)リン酸化p66 Shcを、前記薬剤の非存在下でその脱リン酸化を許容するだろう条件下で前記薬剤と接触させることと；
(b)p66 Shcが脱リン酸化される程度を決定することと；および
(c)工程(b)で測定した脱リン酸化の程度と前記薬剤の非存在下で測定した脱リン酸化の程度とを比較することとを備え、
前記薬剤の非存在下での脱リン酸化の程度がより大きいことが、前記薬剤がp66 Shcの脱リン酸化を阻害することを示す方法。
【請求項１５】
薬剤が、Shc Aタンパク質と前記Shc Aタンパク質が細胞中でその増殖機能を実行するために結合しなければならないタンパク質との結合を阻害するかどうかを決定するための方法であって：
(a)Shc Aタンパク質が結合するタンパク質又はそのShc A-結合部分(i)とShc A又はその適切な部分(ii)とを、前記薬剤の非存在下で結合を認容する条件下で前記薬剤を存在させて、接触させることと；
(b)結合の程度を決定することと；および
(c)工程(b)で測定した結合の程度と前記薬剤の非存在下で測定した結合の程度とを比較することとを備え、
前記薬剤の非存在下での結合の程度がより大きいことが、前記薬剤が前記Shc A タンパク質とそれが細胞中で結合しなければならないタンパク質との間の結合を阻害することを示す方法。
【請求項１６】
(a)被験者におけるp46 Shcおよび／またはp52 Shcの発現を阻害する薬剤をその中に有するパッケージング物質と；(b)被験者における増殖性障害の治療に前記薬剤を使用することを示しているラベルとを具備する製品。
【請求項１７】
(a)被験者におけるp46 Shcおよび／またはp52 Shcの活性を阻害する薬剤をその中に有するパッケージング物質と；(b)被験者における増殖性障害の治療に前記薬剤を使用することを示しているラベルとを具備する製品。
【請求項１８】
(a)被験者におけるリン酸化p66 Shcのレベルを増加させる薬剤をその中に有するパッケージング物質と；(b)被験者における増殖性障害の治療に前記薬剤を使用することを示しているラベルとを具備する製品。
【手続補正書】
【提出日】平成19年10月19日(2007.10.19)
【手続補正１】
【補正対象書類名】特許請求の範囲
【補正対象項目名】請求項８
【補正方法】変更
【補正の内容】
【請求項８】
用いられるビス（フルオロアルキル）ホスフィン酸または（フルオロアルキル）ホスホン酸の誘導体が、ビス（フルオロアルキル）ホスフィン酸または（フルオロアルキル）ホスホン酸のエステルであることを特徴とする、請求項１〜３のいずれかに記載の方法。
【手続補正２】
【補正対象書類名】特許請求の範囲
【補正対象項目名】請求項１５
【補正方法】変更
【補正の内容】
【請求項１５】
前記反応を、（ＣＨ３）３ＳｉＣｌ、ＳＯ２Ｃｌ２、ＳｂＦ５、ＡｌＣｌ３、ＶＦ５、ＳｂＣｌ５、ＮｂＦ５、ＡｓＦ５、ＢｉＦ５、ＡｌＦ３およびＴａＦ５からなる群から選択される求電子試薬またはルイス酸を用いて行うことを特徴とする、請求項１４に記載の方法。